(57)【要約】【課題】シールドケース間の距離を短くすることが可能なシールド構造を提供する。【解決手段】カバー１２０とフレーム１１０とは、フレーム１１０におけるフレーム２１０に隣接する隣接部１１１０において、突起部１２２１，１２２２と収容部１１１１，１１１２とにより嵌め合わさる。カバー２２０とフレーム２１０とは、隣接部１１１０に隣接する隣接部２１１０において、突起部２２２１と収容部２１１１とにより嵌め合わされる。突起部１２２１，１２２２および収容部部１１１１，１１１２は、突起部２２２１および収容部２１１１とは対向しない位置に設けられている。【選択図】図３
2014175400.tif 000002
【特許請求の範囲】
【請求項１】
基板上に配置されるシールド構造であって、
前記シールド構造は、第１のシールドケースと第２のシールドケースとを備え、
前記第１のシールドケースは、前記基板上に配置された第１のフレームと、前記第１のフレームにより構成された開口を覆うための第１のカバーとを含み、
前記第２のシールドケースは、前記基板上に配置された第２のフレームと、前記第２のフレームにより構成された開口を覆うための第２のカバーとを含み、
前記第１のカバーおよび前記第２のカバーの各々は、前記基板に対向する天板部と、前記天板部の周りに設けられた側板部とを有し、
前記第１のフレームは、前記第２のフレームに隣接する第１の隣接部を有し、
前記第２のフレームは、前記第１の隣接部に隣接する第２の隣接部を有し、
前記第１のカバーと前記第１のフレームとは、前記第１の隣接部において、第１の突起部と前記第１の突起部を収容する第１の収容部とにより嵌め合わされ、
前記第２のカバーと前記第２のフレームとは、前記第２の隣接部において、第２の突起部と前記第２の突起部を収容する第２の収容部とにより嵌め合わされ、
前記第１の突起部および前記第１の収容部は、前記第２の突起部および前記第２の収容部とは対向しない位置に設けられている、シールド構造。
【請求項２】
前記第１のカバーの前記側板部は、前記第２のシールドケースにおける前記第２の突起部と前記第２の収容部とにより嵌め合わせがなされている嵌合位置に対向した部分において、不連続となっている、または凹部を有し、
前記第２のカバーの前記側板部は、前記第１のシールドケースにおける前記第１の突起部と前記第１の収容部とにより嵌め合わせがなされている嵌合位置に対向した部分において、不連続となっている、または凹部を有する、請求項１に記載のシールド構造。
【請求項３】
基板上に配置されるシールド構造であって、
前記シールド構造は、第１のシールドケースと第２のシールドケースとを備え、
前記第１のシールドケースは、前記基板上に配置された第１のフレームと、前記第１のフレームにより構成された開口を覆うための第１のカバーとを含み、
前記第２のシールドケースは、前記基板上に配置された第２のフレームと、前記第２のフレームにより構成された開口を覆うための第２のカバーとを含み、
前記第１のカバーおよび第２のカバーの各々は、前記基板に対向する天板部と、前記第１の天板部の周りに設けられた、第１の側板部および第２の側板部とを有し、
前記第１のフレームは、前記第２のフレームに隣接する第１の隣接部を有し、
前記第２のフレームは、前記第１の隣接部に隣接する第２の隣接部を有し、
前記第１のカバーにおける前記第１の側板部の一部と前記第２の側板部とは、前記第１の隣接部に沿って配置されており、
前記第２のカバーにおける前記第１の側板部の一部と前記第２の側板部とは、前記第２の隣接部に沿って配置されており、
前記第１のカバーの前記第１の側板部の一部と前記第２のカバーの前記第１の側板部の一部とが互いに対向し、前記第１のカバーにおける前記第２の側板部と前記第２のカバーにおける前記第２の側板部とが互いに対向しており、
前記第１のカバーと前記第１のフレームとは、前記第１のカバーにおける前記第１の側板部の一部において、第１の突起部と前記第１の突起部を収容する第１の収容部とにより嵌め合わされ、
前記第２のカバーと前記第２のフレームとは、前記第２のカバーの前記第２の側板部において、第２の突起部と前記第２の突起部を収容する第２の収容部とにより嵌め合わされている、シールド構造。
【請求項４】
前記第１のカバーおよび前記第２のカバーの各々は、前記突起部を有し、
前記第１のフレームおよび前記第２のフレームの各々は、前記収容部を有する、請求項１から３のいずれか１項に記載のシールド構造。
【請求項５】
請求項１から４のいずれか１項に記載のシールド構造を有する電子回路を備えた電子機器。
【発明の詳細な説明】
【技術分野】
【０００１】
本願は、回路基板上に配置されるシールド構造およびシールド構造を有する電子回路を備えた電子機器に関する。
【背景技術】
【０００２】
従来、回路基板にシールドケースを取り付けることにより、回路からの電磁波の放射を防止したり、当該回路に対する外部からの電磁波の悪影響を防止することがなされている。たとえば、特許文献１には、シールドケースを構成するフレームの構造体が開示されている。また、特許文献２〜４には、各種のシールドケースが開示されている。
【先行技術文献】
【特許文献】
【０００３】
【特許文献１】特開２０１１−３５１６５号公報
【特許文献２】特開２００５−１５９１４４号公報
【特許文献３】特開２００６−９３４７１号公報
【特許文献４】特開２０１２−２０４８１６号公報
【発明の概要】
【発明が解決しようとする課題】
【０００４】
基板上に互いに隣接するシールドケースが複数配置する場合、作業性および衝撃によるカバーのズレを考慮し、シールドケース同士はある程度の間隔を開ける必要がある。それゆえ、基板に部品を実装するにあたり、シールドケースを備えない場合に比べて広い領域が必要となる。
【０００５】
特許文献１では、フレーム間の距離を短くすることは可能ではある。しかしながら、特許文献１では、各フレームについて一つのカバーが共用される。それゆえ、特許文献１のフレームの構造体を用いても、各フレームに一つのカバーを備える構成において、シールドケース同士の間の距離を短くすることはできない。特許文献２〜４でも、作業性および衝撃によるカバーのズレを考慮すると、フレーム間の距離を短くすることはできない。
【０００６】
本願発明は、上記の問題点に鑑みなされたものであって、その目的は、シールドケース同士の間の距離を短くすることが可能なシールド構造、および当該シールド構造を有する電子回路を備えた電子機器を提供することにある。
【課題を解決するための手段】
【０００７】
本発明のある局面に従うと、シールド構造は基板上に配置される。シールド構造は、第１のシールドケースと第２のシールドケースとを備える。第１のシールドケースは、基板上に配置された第１のフレームと、第１のフレームにより構成された開口を覆うための第１のカバーとを含む。第２のシールドケースは、基板上に配置された第２のフレームと、第２のフレームにより構成された開口を覆うための第２のカバーとを含む。第１のカバーおよび第２のカバーの各々は、基板に対向する天板部と、天板部の周りに設けられた側板部とを有する。第１のフレームは、第２のフレームに隣接する第１の隣接部を有する。第２のフレームは、第１の隣接部に隣接する第２の隣接部を有する。第１のカバーと第１のフレームとは、第１の隣接部において、第１の突起部と第１の突起部を収容する第１の収容部とにより嵌め合わされる。第２のカバーと第２のフレームとは、第２の隣接部において、第２の突起部と第２の突起部を収容する第２の収容部とにより嵌め合わされる。第１の突起部および第１の収容部は、第２の突起部および第２の収容部とは対向しない位置に設けられている。
【０００８】
本発明の他の局面に従うと、シールド構造は基板上に配置される。シールド構造は、第１のシールドケースと第２のシールドケースとを備える。第１のシールドケースは、基板上に配置された第１のフレームと、第１のフレームにより構成された開口を覆うための第１のカバーとを含む。第２のシールドケースは、基板上に配置された第２のフレームと、第２のフレームにより構成された開口を覆うための第２のカバーとを含む。第１のカバーおよび第２のカバーの各々は、基板に対向する天板部と、第１の天板部の周りに設けられた、第１の側板部および第２の側板部とを有する。第１のフレームは、第２のフレームに隣接する第１の隣接部を有する。第２のフレームは、第１の隣接部に隣接する第２の隣接部を有する。第１のカバーにおける第１の側板部の一部と第２の側板部とは、第１の隣接部に沿って配置されている。第２のカバーにおける第１の側板部の一部と第２の側板部とは、第２の隣接部に沿って配置されている。第１のカバーの第１の側板部の一部と第２のカバーの第１の側板部の一部とが互いに対向し、第１のカバーにおける第２の側板部と第２のカバーにおける第２の側板部とが互いに対向している。第１のカバーと第１のフレームとは、第１のカバーにおける第１の側板部の一部において、第１の突起部と第１の突起部を収容する第１の収容部とにより嵌め合わされている。第２のカバーと第２のフレームとは、第２のカバーの第２の側板部において、第２の突起部と第２の突起部を収容する第２の収容部とにより嵌め合わされている。
【０００９】
本発明のさらに他の局面に従うと、電子機器は上記シールド構造を有する電子回路を備える。
【発明の効果】
【００１０】
本発明によれば、シールドケース同士の間の距離を短くすることが可能となる。
【図面の簡単な説明】
【００１１】
【図１】電子機器の外観を説明するための図である。
【図２】電子機器に内蔵されている電子回路の１つを説明するための図である。
【図３】シールド構造の構成を説明するための図である。
【図４】本実施の形態に係るシールド構造の利点を説明するための比較対象となるシールド構造を説明するための図である。
【図５】他の実施の形態に係るシールド構造の構成を説明するための図である。
【図６】更に他の実施の形態に係るシールド構造の構成を説明するための図である。
【発明を実施するための形態】
【００１２】
以下、図面を参照しつつ、本発明の各実施の形態に係るシールド構造を備えた電子機器について説明する。以下の説明では、同一の部品には同一の符号を付してある。それらの名称および機能も同じである。したがって、それらについての詳細な説明は繰り返さない。電子機器は、たとえば、スマートフォン等の携帯型電話機が挙げられる。
【００１３】
［実施の形態１］
＜Ａ．電子機器１の外観および電子回路１０の構成＞
図１は、電子機器１の外観を説明するための図である。図１を参照して、電子機器１は、タッチスクリーン２０を備えている。また、電子機器１は、電子回路を内蔵している。
【００１４】
図２は、電子機器１に内蔵されている電子回路の１つを説明するための図である。より詳しくは、図２は、基板上に配置されたシールド構造を説明するための図である。図２を参照して、状態Ａは、電子回路１０を斜めから見た場合を表している。状態Ｂは、電子回路１０を側面から見た場合を表している。状態Ｃは、電子回路１０を上側から見た場合を表している。状態Ｄは、電子回路１０のさらに具体的な構成を説明するための図である。
【００１５】
たとえば状態Ａ〜Ｃに示すとおり、電子回路１０は、基板５０と、シールド構造１１とを備える。シールド構造１１は、シールドケース１００と、シールドケース２００とを含む。シールドケース１００，２００は、基板５０上に配置されている。シールドケース１００と、シールドケース２００とは、互いに隣接している。シールドケース１００，２００内には、１または複数の電子部品が配置される。
【００１６】
たとえば状態Ｄに示すとおり、シールドケース１００は、フレーム１１０とカバー１２０とを有する。フレーム１１０は、基板５０上に配置される。カバー１２０は、フレーム１１０により構成された開口Ｑ１を覆うための部材である。シールドケース２００は、フレーム２１０とカバー２２０とを有する。フレーム２１０は、基板５０上に配置される。カバー２２０は、フレーム２１０により構成された開口Ｑ２を覆うための部材である。
【００１７】
＜Ｂ．シールド構造１１＞
図３は、シールド構造１１の構成を説明するための図である。図３を参照して、状態Ａは、シールドケース１００を斜めから見た場合を表している。詳しくは、状態Ａは、カバー１２０をフレーム１１０から取り外した場合を表している。状態Ｂは、シールドケース２００を斜めから見た場合を表している。詳しくは、状態Ｂは、カバー２２０をフレーム２１０から取り外した場合を表している。状態Ｃは、電子回路１０を上側から見た場合を表している。状態Ｄは、状態ＣのIIIa−IIIa線矢視断面（または、IIIc−IIIc線矢視断面）を表している。状態Ｅは、状態ＣのIIIb−IIIｂ線矢視断面を表している。
【００１８】
（ｂ１．シールドケース１００）
状態Ａに示すとおり、シールドケース１００は、フレーム１１０に対してカバー１２０が嵌め合わさることにより構成される。以下では、フレーム１１０に対してカバー１２０が嵌め合わされた状態について説明する。
【００１９】
フレーム１１０は、シールドケース２００のフレーム２１０に隣接する隣接部１１１０と、隣接部１１１０に連続する部分１１２０，１１４０と、隣接部１１１０と反対側の部分１１３０とを含む。各部分１１１０，１１２０，１１３０，および１１４０は、一例として、一体として構成されている。
【００２０】
隣接部１１１０は、フレーム２１０と対向する表面Ｓ１３に収容部１１１１，１１１２を有する。収容部１１１１，１１１２は、穴（凹部）である。収容部１１１１，１１１２には、後述する突起部１２２１，１２２２が収容される。なお、収容部１１１１，１１１２は、貫通穴であってもよいし、貫通穴でなくてもよい。
【００２１】
カバー１２０は、基板５０に対向する天板部１２１０と、天板部１２１０の周りに設けられた側板部１２２０とを有する。側板部１２２０は、フレーム２１０と対向する表面Ｓ１１，Ｓ１２の裏面に、突起部１２２１，１２２２を有する。つまり、突起部１２２１，１２２２は、カバー１２０の内側面に設けられている。突起部１２２１は、収容部１１１１に対応する位置に設けられ、突起部１２２２は、収容部１１１２に対応する位置に設けられている。
【００２２】
カバー１２０とフレーム１１０とは、隣接部１１１０において、突起部１２２１，１２２２と突起部１２２１，１２２２を各々収容する収容部１１１１，１１１２とにより嵌め合わされる。具体的には、カバー１２０とフレーム１１０とは、隣接部１１１０において、カバー１２０に設けられた突起部１２２１，１２２２と、フレーム１１０に設けられた収容部１１１１，１１１２とにより嵌め合わされる。
【００２３】
なお、カバー１２０とフレーム１１０とは、フレーム１１０の部分１１４０においても図示しない突起部と収容部とにより嵌め合わされている。カバー１２０とフレーム１１０とは、フレーム１１０の部分１１２０，１１３０においても突起部と収容部とにより嵌め合わされていてもよい。また、カバー１２０は、フレーム１１０に対して容易に嵌め合わせが可能となるように、側板部１２２０に１つ以上のスリットを有していてもよい。
【００２４】
突起部１２２１，１２２２および収容部１１１１，１１１２は、後述するシールドケース２００の突起部２２２１および収容部２１１１とは対向しない位置に設けられている。カバー１２０の側板部１２２０は、後述する突起部２２２１と収容部２１１１とにより嵌め合わせがなされている嵌合位置に対向した部分において、不連続となっている。つまり、天板部１２１０の周囲のうち、側板部１２２０と接しない箇所（領域）が存在する。
【００２５】
（ｂ２．シールドケース２００）
状態Ｂに示すとおり、シールドケース２００は、フレーム２１０に対してカバー２２０が嵌め合わさることにより構成される。以下では、フレーム２１０に対してカバー２２０が嵌め合わされた状態について説明する。
【００２６】
フレーム２１０は、シールドケース１００におけるフレーム１１０の隣接部１１１０に隣接する隣接部２１１０と、隣接部２１１０に連続する部分２１２０，２１４０と、隣接部２１１０と反対側の部分２１３０とを含む。各部２１１０，２１２０，２１３０，および２１４０は、一例として、一体として構成されている。
【００２７】
隣接部２１１０は、フレーム１１０と対向する表面Ｓ２２に収容部２１１１を有する。収容部２１１１は、穴（凹部）である。収容部２１１１には、後述する突起部２２２１が収容される。収容部２１１１は、貫通穴であってもよいし、貫通穴でなくてもよい。
【００２８】
カバー２２０は、基板５０に対向する天板部２２１０と、天板部２２１０の周りに設けられた側板部２２２０とを有する。側板部２２２０は、フレーム１１０と対向する表面Ｓ２１の裏面に、突起部２２２１を有する。つまり、突起部２２２１は、カバー２２０の内側面に設けられている。突起部２２２１は、収容部２１１１に対応する位置に設けられている。
【００２９】
カバー２２０とフレーム２１０とは、隣接部２１１０において、突起部２２２１と突起部２２２１を収容する収容部２１１１とにより嵌め合わされる。具体的には、カバー２２０とフレーム２１０とは、隣接部２１１０において、カバー２２０に設けられた突起部２２２１と、フレーム２１０に設けられた収容部２１１１とにより嵌め合わされる。
【００３０】
なお、カバー２２０とフレーム２１０とは、フレーム２１０の部分２１４０においても図示しない突起部と収容部とにより嵌め合わされている。カバー２２０とフレーム２１０とは、フレーム２１０の部分２１２０，２１３０においても突起部と収容部とにより嵌め合わされていてもよい。また、カバー２２０は、フレーム２１０に対して容易に嵌め合わせが可能となるように、側板部２２２０に１つ以上のスリットを有していてもよい。
【００３１】
突起部２２２１および収容部２１１１は、シールドケース１００の突起部１２２１，１２２２および収容部１１１１，１１１２とは対向しない位置に設けられている。カバー２２０の側板部２２２０は、突起部１２２１，１２２２と収容部１１１１，１１１２とにより嵌め合わせがなされている嵌合位置に対向した部分において、不連続となっている。つまり、天板部２２１０の周囲のうち、側板部２２２０と接しない箇所が２つ存在する。
【００３２】
（ｂ３．シールドケース１００，２００の嵌め合わせの詳細）
状態Ｄに示すとおり、シールドケース１００では、上述したように、カバー１２０の突起部１２２２と、フレーム１１０の収容部１１１２とを用いて嵌め合わせが行なわれる。また、上述したように、カバー２２０の側板部２２２０は、突起部１２２２と収容部１１１２とにより嵌め合わせがなされている嵌合位置に対向した部分において、不連続となっている。つまり、当該嵌め合わせ位置に対向した部分には、シールドケース２００におけるカバー２２０の側板部２２２０が存在しない。
【００３３】
状態Ｅに示すとおり、シールドケース２００では、上述したように、カバー２２０の突起部２２２１と、フレーム２１０の収容部２１１１とを用いて嵌め合わせが行なわれる。また、上述したように、カバー１２０の側板部１２２０は、突起部２２２１と収容部２１１１とにより嵌め合わせがなされている嵌合位置に対向した部分において、不連続となっている。つまり、当該嵌め合わせ位置に対向した部分には、シールドケース１００におけるカバー１２０の側板部１２２０が存在しない。
【００３４】
なお、状態Ｄ，Ｅに示すとおり、各突起部１２２２（１２２１），２２２１は、それぞれ各収容部１１１２（１１１１），２１１１に完全に嵌り込んでいなくてもよい。
【００３５】
＜Ｃ．比較例＞
図４は、本実施の形態に係るシールド構造１１の利点を説明するための比較対象となるシールド構造を説明するための図である。図４を参照して、比較対象となるシールド構造８１は、シールドケース８００と、シールドケース９００とを備える。
【００３６】
状態Ａは、シールドケース８００を斜めから見た場合を表している。状態Ｂは、シールドケース９００を斜めから見た場合を表している。状態Ｃは、シールドケース８００，９００が搭載された電子回路を上側から見た場合を表している。状態Ｄは、状態ＣのIVa−IVa線矢視断面を表している。状態Ｅは、状態ＣのIVb−IVb線矢視断面を表している。特に、状態Ｅは、フレームに対してカバーが浮き上がった状態を表している。つまり、状態Ｅは、フレーム対してカバーが正しく状態で固定されていない場合を表している。
【００３７】
（ｃ１．シールドケース８００）
状態Ａに示すとおり、シールドケース８００は、フレーム８１０に対してカバー８２０が嵌め合わさることにより構成される。以下では、フレーム８１０に対してカバー８２０が嵌め合わされた状態について説明する。
【００３８】
フレーム８１０は、シールドケース９００のフレーム９１０に隣接する隣接部８１１０と、隣接部８１１０に連続する部分８１２０，８１４０と、隣接部８１１０と反対側の部分８１３０とを含む。隣接部８１１０は、フレーム９１０と対向する表面Ｓ８２に収容部８１１１，８１１２を有する。収容部８１１１，８１１２は、穴（凹部）である。収容部８１１１，８１１２には、後述する突起部８２２１，８２２２が収容される。
【００３９】
カバー８２０は、基板５０に対向する天板部８２１０と、天板部８２１０の周りに設けられた側板部８２２０とを有する。側板部８２２０は、フレーム９１０と対向する表面Ｓ８１の裏面に、突起部８２２１，８２２２を有する。突起部８２２１は、収容部８１１１に対応する位置に設けられ、突起部８２２２は、収容部８１１２に対応する位置に設けられている。
【００４０】
カバー８２０とフレーム８１０とは、隣接部８１１０において、突起部８２２１，８２２２と、突起部８２２１，８２２２を各々収容する収容部８１１１，８１１２とにより嵌め合わされる。具体的には、カバー８２０とフレーム８１０とは、隣接部８１１０において、カバー８２０に設けられた突起部８２２１，８２２２と、フレーム８１０に設けられた収容部８１１１，８１１２とにより嵌め合わされる。なお、カバー８２０とフレーム８１０とは、フレーム８１０の部分８１４０においても図示しない突起部と収容部とにより嵌め合わされている。
【００４１】
突起部８２２１および収容部８１１１は、後述するシールドケース９００の突起部９２２２および収容部９１１２と対向する位置に設けられている。また、突起部８２２２および収容部８１１２は、後述するシールドケース９００の突起部９２２１および収容部９１１１と対向する位置に設けられている。
【００４２】
また、本実施の形態におけるカバー１２０の側板部１２２０とは異なり、カバー８２０の側板部８２２０は、後述する突起部９２２１，９２２２と収容部９１１１，９１１２とにより嵌め合わせがなされている嵌合位置に対向した部分においても連続している。
【００４３】
（ｃ２．シールドケース９００）
状態Ｂに示すとおり、シールドケース９００は、フレーム９１０に対してカバー９２０が嵌め合わさることにより構成される。以下では、フレーム９１０に対してカバー９２０が嵌め合わされた状態について説明する。
【００４４】
フレーム９１０は、シールドケース８００におけるフレーム８１０の隣接部８１１０に隣接する隣接部９１１０と、隣接部９１１０に連続する部分９１２０，９１４０と、隣接部９１１０と反対側の部分９１３０とを含む。隣接部９１１０は、フレーム８１０と対向する表面Ｓ９２に収容部９１１１，９１１２を有する。収容部９１１１，９１１２は、穴（凹部）である。
【００４５】
カバー９２０は、基板５０に対向する天板部９２１０と、天板部９２１０の周りに設けられた側板部９２２０とを有する。側板部９２２０は、フレーム８１０と対向する表面Ｓ９１の裏面に、突起部９２２１，９２２２を有する。突起部９２２１は、収容部９１１１に対応する位置に設けられている。突起部９２２２は、収容部９１１２に対応する位置に設けられている。
【００４６】
カバー９２０とフレーム９１０とは、隣接部９１１０において、突起部９２２１，９２２２と、突起部９２２１，９２２２を各々収容する収容部９１１１，９１１２とにより嵌め合わされる。具体的には、カバー９２０とフレーム９１０とは、隣接部９１１０において、カバー９２０に設けられた突起部９２２１，９２２２と、フレーム９１０に設けられた収容部９１１１，９１１２とにより嵌め合わされる。
【００４７】
突起部９２２１および収容部９１１１は、後述するシールドケース８００の突起部８２２２および収容部８１１２と対向する位置に設けられている。また、突起部９２２２および収容部９１１２は、後述するシールドケース８００の突起部８２２１および収容部８１１１と対向する位置に設けられている。
【００４８】
また、本実施の形態１におけるカバー２２０の側板部２２２０とは異なり、カバー９２０の側板部９２２０は、突起部８２２１，８２２２と収容部８１１１，８１１２とにより嵌め合わせがなされている嵌合位置に対向した部分においても連続している。
【００４９】
（ｃ３．シールドケース８００，９００の嵌め合わせの詳細）
状態Ｄに示すとおり、シールドケース８００では、上述したように、カバー８２０の突起部８２２２と、フレーム８１０の収容部８１１２とを用いて嵌め合わせが行なわれる。また、上述したように、カバー９２０の側板部９２２０は、突起部８２２２と収容部８１１２とにより嵌め合わせがなされている嵌合位置に対向した部分においても連続している。詳しくは、カバー９２０の側板部９２２０は、突起部８２２２と収容部８１１２とにより嵌め合わせがなされている嵌合位置に対向した部分において、突起部９２２１と収容部９１１１とを有する。
【００５０】
状態Ｅに示すとおり、シールドケース９００では、上述したように、カバー９２０の突起部９２２１と、フレーム９１０の収容部９１１１とを用いて嵌め合わせが行なわれる。また、上述したように、カバー８２０の側板部８２２０は、突起部９２２１と収容部９１１１とにより嵌め合わせがなされている嵌合位置に対向した部分においても連続している。詳しくは、カバー８２０の側板部８２２０は、突起部９２２２と収容部９１１２とにより嵌め合わせがなされている嵌合位置に対向した部分において、突起部８２２１と収容部８１１１とを有する。
【００５１】
＜Ｄ．シールド構造１１の利点＞
次に、本実施の形態におけるシールド構造１１（図３）の利点を述べる。特に、上述したシールド構造８１（図４）と対比して、シールド構造１１の利点を説明する。
【００５２】
シールド構造８１では、図４の状態Ｅに示したように、作業性あるいは衝撃によるカバー９２０のズレが生じた場合、カバー９２０の側板部９２２０が、カバー８２０の側板部８２２０と接触（干渉）してしまう。その一方、本実施の形態のシールド構造１１では、図３の状態Ｄに示すとおり、カバー２２０の側板部２２２０は、突起部１２２２と収容部１１１２とにより嵌め合わせがなされている嵌合位置に対向した部分において、不連続となっている。また、シールド構造１１では、図３の状態Ｅに示すとおり、カバー１２０の側板部１２２０は、突起部２２２１と収容部２１１１とにより嵌め合わせがなされている嵌合位置に対向した部分において、不連続となっている。
【００５３】
このため、シールド構造１１によれば、作業性あるいは衝撃によるカバー１２０またはカバー２２０のズレが生じた場合であっても、カバー１２０の側板部１２２０と、カバー２２０の側板部２２２０とが、互いに接触（干渉）することを防止することができる。それゆえ、シールド構造１１によれば、シールド構造８１および従来の各種のシールド構造に比べて、シールドケース同士の間の距離を短くすることが可能となる。さらに、シールド構造１１により、部品実装領域の省スペース化、および基板５０の小型化が図れる。
【００５４】
［実施の形態２］
次に、電子機器１に内蔵されている他の電子回路の１つを説明するための図である。本実施の形態に係る電子回路は、シールドケース１００Ａと、シールドケース２００Ａとを備えている。シールドケースの形状が実施の形態１におけるシールドケース１００，２００と異なる点以外は、本実施の形態に係る電子回路と、実施の形態１に係る電子回路１０とは、同様の構成を有する。
【００５５】
本実施の形態にかかるシールドケース１００Ａ，２００Ａは、各々のカバーの側板部の形状が実施の形態１と異なる。シールドケース１００Ａ，２００Ａにおけるその他の形状は、実施の形態１のシールドケース１００，２００と同様である。
【００５６】
＜Ｅ．シールド構造１１Ａ＞
図５は、シールド構造１１Ａの構成を説明するための図である。図５を参照して、状態Ａは、シールドケース１００Ａを斜めから見た場合を表している。詳しくは、状態Ａは、カバー１２０Ａをフレーム１１０から取り外した場合を表している。状態Ｂは、シールドケース２００Ａを斜めから見た場合を表している。詳しくは、状態Ｂは、カバー２２０Ａをフレーム２１０から取り外した場合を表している。状態Ｃは、電子回路を上側から見た場合を表している。状態Ｄは、状態ＣのVa−Va線矢視断面（または、Vc−Vc線矢視断面）を表している。状態Ｅは、状態ＣのVb−Vb線矢視断面を表している。
【００５７】
（ｅ１．シールドケース１００Ａ）
状態Ａに示すとおり、シールドケース１００Ａは、フレーム１１０に対してカバー１２０Ａが嵌め合わさることにより構成される。以下では、フレーム１１０に対してカバー１２０Ａが嵌め合わされた状態について説明する。
【００５８】
カバー１２０Ａは、基板５０に対向する天板部１２１０と、天板部１２１０の周りに設けられた側板部１２２０Ａとを有する。側板部１２２０Ａは、フレーム２１０と対向する表面Ｓ１４，Ｓ１６の裏面に、突起部１２２１，１２２２を有する。表面Ｓ１５は、表面Ｓ１４と表面Ｓ１６とにより挟まれた領域である。なお、表面Ｓ１４、Ｓ１５，Ｓ１６により、一つの平面を形成している。
【００５９】
カバー１２０Ａとフレーム１１０とは、隣接部１１１０において、突起部１２２１，１２２２と突起部１２２１，１２２２を各々収容する収容部１１１１，１１１２とにより嵌め合わされる。具体的には、カバー１２０Ａとフレーム１１０とは、隣接部１１１０において、カバー１２０に設けられた突起部１２２１，１２２２と、フレーム１１０に設けられた収容部１１１１，１１１２とにより嵌め合わされる。
【００６０】
なお、カバー１２０Ａとフレーム１１０とは、フレーム１１０の部分１１４０においても図示しない突起部と収容部とにより嵌め合わされている。カバー１２０Ａとフレーム１１０とは、フレーム１１０の部分１１２０，１１３０においても突起部と収容部とにより嵌め合わされていてもよい。また、カバー１２０Ａは、フレーム１１０に対して容易に嵌め合わせが可能となるように、側板部１２２０Ａに１つ以上のスリットを有していてもよい。
【００６１】
突起部１２２１，１２２２および収容部１１１１，１１１２は、シールドケース２００Ａの突起部２２２１および収容部２１１１とは対向しない位置に設けられている。カバー１２０Ａの側板部１２２０Ａは、突起部２２２１と収容部２１１１とにより嵌め合わせがなされている嵌合位置に対向した部分において、凹部Ｄ１１を有する。
【００６２】
（ｅ２．シールドケース２００Ａ）
状態Ｂに示すとおり、シールドケース２００Ａは、フレーム２１０に対してカバー２２０Ａが嵌め合わさることにより構成される。以下では、フレーム２１０に対してカバー２２０Ａが嵌め合わされた状態について説明する。
【００６３】
カバー２２０Ａは、基板５０に対向する天板部２２１０と、天板部２２１０の周りに設けられた側板部２２２０Ａとを有する。側板部２２２０Ａは、フレーム１１０と対向する表面Ｓ２４の裏面に、突起部２２２１を有する。表面Ｓ２４は、表面Ｓ２３と表面Ｓ２５とに挟まれている。なお、表面Ｓ２３、Ｓ２４，Ｓ２５で、一つの平面を形成している。
【００６４】
カバー２２０Ａとフレーム２１０とは、隣接部２１１０において、突起部２２２１と突起部２２２１を収容する収容部２１１１とにより嵌め合わされる。具体的には、カバー２２０Ａとフレーム２１０とは、隣接部２１１０において、カバー２２０Ａに設けられた突起部２２２１と、フレーム２１０に設けられた収容部２１１１とにより嵌め合わされる。
【００６５】
なお、カバー２２０Ａとフレーム２１０とは、フレーム２１０の部分２１４０においても図示しない突起部と収容部とにより嵌め合わされている。カバー２２０Ａとフレーム２１０とは、フレーム２１０の部分２１２０，２１３０においても突起部と収容部とにより嵌め合わされていてもよい。カバー２２０Ａは、フレーム２１０に対して容易に嵌め合わせが可能となるように、側板部２２２０Ａに１つ以上のスリットを有していてもよい。
【００６６】
突起部２２２１および収容部２１１１は、シールドケース１００Ａの突起部１２２１，１２２２および収容部１１１１，１１１２とは対向しない位置に設けられている。カバー２２０Ａの側板部２２２０Ａは、突起部１２２１，１２２２と収容部１１１１，１１１２とにより嵌め合わせがなされている嵌合位置に対向した部分において、凹部Ｄ２１，Ｄ２２を有する。
【００６７】
（ｅ３．シールド構造１１Ａの利点）
状態Ｄにも示すとおり、シールドケース１００Ａでは、上述したように、カバー１２０Ａの突起部１２２２（１２２１）と、フレーム１１０の収容部１１１２（１１１１）とを用いて嵌め合わせが行なわれる。また、上述したように、カバー２２０Ａの側板部２２２０Ａは、突起部１２２２（１２２１）と収容部１１１２（１１１１）とにより嵌め合わせがなされている嵌合位置に対向した部分において、凹部Ｄ２１、Ｄ２２を有する。つまり、当該嵌め合わせ位置に対向した部分では、カバー２２０Ａの側板部２２２０Ａにおける基板５０方向の長さが、他の部分に比べて短い。
【００６８】
状態Ｅにも示すとおり、シールドケース２００Ａでは、上述したように、カバー２２０Ａの突起部２２２１と、フレーム２１０の収容部２１１１とを用いて嵌め合わせが行なわれる。また、上述したように、カバー１２０Ａの側板部１２２０Ａは、突起部２２２１と収容部２１１１とにより嵌め合わせがなされている嵌合位置に対向した部分において、凹部Ｄ１１を有する。つまり、当該嵌め合わせ位置に対向した部分では、カバー１２０Ａの側板部１２２０Ａにおける基板５０方向の長さが、他の部分に比べて短い。
【００６９】
このため、シールド構造１１Ａによれば、シールド構造１１と同様、作業性あるいは衝撃によるカバー１２０Ａまたはカバー２２０Ａのズレが生じた場合であっても、カバー１２０Ａの側板部１２２０Ａと、カバー２２０Ａの側板部２２２０Ａとが、互いに接触（干渉）することを防止することができる。それゆえ、シールド構造１１Ａによれば、シールド構造８１および従来の各種のシールド構造に比べて、シールドケース同士の間の距離を短くすることが可能となる。さらに、シールド構造１１Ａにより、部品実装領域の省スペース化、および基板５０の小型化が図れるとともに、シードケースからのノイズ輻射対策が可能となる。
【００７０】
［実施の形態３］
次に、電子機器１に内蔵されているさらに他の電子回路の１つを説明する。本実施の形態に係る電子回路は、シールドケース１００Ｂと、シールドケース２００Ｂとを備えている。シールドケースの形状が実施の形態１におけるシールドケース１００，２００と異なる点以外は、本実施の形態に係る電子回路と、実施の形態１に係る電子回路１０とは、同様の構成を有する。
【００７１】
本実施の形態にかかるシールドケース１００Ｂ，２００Ｂは、各々のカバーの側板部の形状が実施の形態１と異なる。シールドケース１００Ｂ，２００Ｂにおけるその他の形状は、実施の形態１のシールドケース１００，２００と同様である。
【００７２】
＜Ｆ．シールド構造１１Ｂ＞
図６は、シールド構造１１Ｂの構成を説明するための図である。図６を参照して、状態Ａは、シールドケース１００Ｂを斜めから見た場合を表している。詳しくは、状態Ａは、カバー１２０Ｂをフレーム１１０から取り外した場合を表している。状態Ｂは、シールドケース２００Ｂを斜めから見た場合を表している。詳しくは、状態Ｂは、カバー２２０Ｂをフレーム２１０から取り外した場合を表している。状態Ｃは、電子回路１０を上側から見た場合を表している。状態Ｄは、状態ＣのVIa−VIa線矢視断面を表している。状態Ｅは、状態ＣのVIb−VIb線矢視断面を表している。
【００７３】
（ｆ１．シールドケース１００Ｂ）
状態Ａに示すとおり、シールドケース１００Ｂは、フレーム１１０に対してカバー１２０Ｂが嵌め合わさることにより構成される。以下では、フレーム１１０に対してカバー１２０Ｂが嵌め合わされた状態について説明する。
【００７４】
カバー１２０Ｂは、基板５０に対向する天板部１２１０と、天板部１２１０の周りに設けられた側板部１２２０Ｂと、側板部１２２０Ｃとを有する。カバー１２０は、スリット１２９１，１２９２を有する。スリット１２９１，１２９２によって、天板部１２１０の側板が、側板部１２２０Ｂと側板部１２２０Ｃとに区分されている。また、側板部１２２０Ｂは、フレーム２１０と対向する表面Ｓ１７，Ｓ１９の裏面に、突起部１２２１，１２２２を有する。突起部１２２１，１２２２および収容部１１１１，１１１２は、シールドケース２００Ｂの突起部２２２１および収容部２１１１とは対向しない位置に設けられている。
【００７５】
また、側板部１２２０Ｂの一部分Ｐ１７，Ｐ１９（表面Ｓ１７,Ｓ１９を含む部分）と、側板部１２２０Ｃとは、隣接部１１１０に沿って配置されている。さらに、カバー１２０Ｂの側板部１２２０Ｂの一部分Ｐ１７，Ｐ１９と、後述するカバー２２０Ｂの側板部２２２０Ｂの一部分Ｐ２６，Ｐ２８とが互いに対向している。また、カバー１２０Ｂにおける側板部１２２０Ｃと、後述するカバー２２０Ｂにおける側板部２２２０Ｃとが互いに対向している。
【００７６】
カバー１２０Ｂとフレーム１１０とは、カバー１２０Ｂにおける側板部１２２０Ｂの一部分Ｐ１７，Ｐ１９において、突起部１２２１，１２２２と突起部１２２１，１２２２を各々収容する収容部１１１１，１１１２とにより嵌め合わされる。具体的には、カバー１２０Ｂとフレーム１１０とは、隣接部１１１０において、カバー１２０Ｂに設けられた突起部１２２１，１２２２と、フレーム１１０に設けられた収容部１１１１，１１１２とにより嵌め合わされる。
【００７７】
（ｆ２．シールドケース２００Ｂ）
状態Ｂに示すとおり、シールドケース２００Ｂは、フレーム２１０に対してカバー２２０Ｂが嵌め合わさることにより構成される。以下では、フレーム２１０に対してカバー２２０Ｂが嵌め合わされた状態について説明する。
【００７８】
カバー２２０Ｂは、基板５０に対向する天板部２２１０と、天板部２２１０の周りに設けられた側板部２２２０Ｂと、側板部２２２０Ｃとを有する。カバー２２０Ｂは、スリット２２９１，２２９２を有する。スリット２２９１，２２９２によって、天板部２２１０の側板が、側板部２２２０Ｂと側板部２２２０Ｃとに区分されている。また、側板部２２２０Ｂは、フレーム１１０と対向する表面Ｓ２６，Ｓ２８の裏面に、突起部２２２１，２２２２を有する。突起部２２２１および収容部２１１１は、シールドケース１００Ｂの突起部１２２１，１２２２および収容部１１１１，１１１２とは対向しない位置に設けられている。
【００７９】
また、側板部２２２０Ｂの一部分Ｐ２６，Ｐ２８（表面Ｓ２６,Ｓ２８を含む部分）と、側板部２２２０Ｃとは、隣接部２１１０に沿って配置されている。さらに、上述したとおり、カバー２２０Ｂの側板部２２２０Ｂの一部分Ｐ２６，Ｐ２８と、カバー１２０Ｂの側板部１２２０Ｂの一部分Ｐ１７，Ｐ１９とが互いに対向している。また、カバー２２０Ｂにおける側板部２２２０Ｃと、カバー１２０Ｂにおける側板部１２２０Ｃとが互いに対向している。
【００８０】
カバー２２０Ｂとフレーム２１０とは、カバー２２０Ｂにおける側板部２２２０Ｃにおいて、突起部２２２１と、突起部２２２１を収容する収容部２１１１とにより嵌め合わされる。具体的には、カバー２２０Ｂとフレーム２１０とは、隣接部２１１０において、カバー２２０Ｂに設けられた突起部２２２１と、フレーム２１０に設けられた収容部２１１１とにより嵌め合わされる。
【００８１】
（ｆ３．シールド構造１１Ｂの利点）
状態Ｄにも示すとおり、シールドケース１００Ｂでは、カバー１２０Ｂにおける側板部１２２０Ｂの一部分Ｐ１９（Ｐ１７）において、カバー１２０Ｂの突起部１２２２（１２１１）と、フレーム１１０の収容部１１１２（１１１１）とを用いて嵌め合わせが行なわれる。また、上述したように、カバー２２０Ｂは、突起部１２２２（１２２１）と収容部１１１２（１１１１）とにより嵌め合わせがなされている嵌合位置に対向した部分において、突起部を備えない一部分Ｐ２６（Ｐ２８）が位置している。
【００８２】
状態Ｅにも示すとおり、シールドケース２００Ｂでは、カバー２２０Ｂにおける側板部２２２０Ｃにおいて、カバー２２０Ｂの突起部２２２１と、フレーム２１０の収容部２１１１とを用いて嵌め合わせが行なわれる。また、上述したように、カバー１２０Ｂは、突起部２２２１と収容部２１１１とにより嵌め合わせがなされている嵌合位置に対向した部分において、突起部を備えない側板部１２２０Ｃを有する。
【００８３】
このため、シールド構造１１Ｂによれば、作業性あるいは衝撃によるカバー１２０Ｂまたはカバー２２０Ｂのズレが生じた場合であっても、カバー１２０Ｂの側板部１２２０Ｂと、カバー２２０Ｂの側板部２２２０Ｂとが、互いに接触（干渉）することを防止することができる。さらに、シールド構造１１Ｂによれば、上記嵌め合わせを行なう部材がスリット１２９１，１２９２，２２９１，２２９２により、物理的に分離されている。よって、２つのシールドケース１００Ｂ，２００Ｂにおける各嵌め合わせ位置において、互いのカバー１２０Ｂ，２２０Ｂが同時に膨れ上がることを防止することができる。それゆえ、シールド構造１１Ｂによれば、シールド構造８１および従来の各種のシールド構造に比べて、シールドケース同士の間の距離を短くすることが可能となる。さらに、シールド構造１１Ａにより、部品実装領域の省スペース化、および基板５０の小型化が図れるとともに、シードケースからのノイズ輻射対策が可能となる。
【００８４】
＜Ｇ．変形例＞
実施の形態１〜３においては、フレームが凹部を有し、カバーが突起部を有する構成を例に挙げて説明したが、これに限定されるものではない。フレームが突起部を有し、カバーが凹部を有する構成であってもよい。
【００８５】
今回開示された実施の形態は例示であって、上記内容のみに制限されるものではない。本発明の範囲は特許請求の範囲によって示され、特許請求の範囲と均等の意味および範囲内でのすべての変更が含まれることが意図される。
【符号の説明】
【００８６】
１  電子機器、１０  電子回路、１１，１１Ａ，１１Ｂ  シールド構造、１００，１００Ａ，１００Ｂ，２００，２００Ａ，２００Ｂ  シールドケース、１１０，２１０  フレーム、１２０，１２０Ａ，１２０Ｂ，２２０，２２０Ａ，２２０Ｂ  カバー。
【図１】
2014175400.tif 000003
【図２】
2014175400.tif 000004
【図３】
2014175400.tif 000005
【図４】
2014175400.tif 000006
【図５】
2014175400.tif 000007
【図６】
2014175400.tif 000008